(57)【要約】【課題】  折り畳み式携帯電話機の２軸ヒンジユニットアセッブリ内にＦＰＣを収容する際に、ＦＰＣの自由度を損なうことなく、余裕をもって収容することが可能なＦＰＣ実装構造を提供する。【解決手段】  ２軸ヒンジユニットアッセンブリ１０にＦＰＣ２を収納するに際して、２軸（第一及び第二回転軸）１１，１４の各々にＦＰＣ２の一部２２，２１を巻回して収納する場合、第一回転軸１１には、その中央部に第一回転軸と直交する第二回転軸１４の取付機構部１２と、第二ユニットの展開角度（展開位置）を規制する展開規制機構１３とが設けられているので、これら各機構部１２，１３を避けて、第一回転軸１１の径が小なる部分に、ＦＰＣ２の一部２２を巻回する。これにより、ＦＰＣを余裕をもって巻回することが可能となり、ＦＰＣ２の自由度が向上する。【選択図】      図４                                                  
2005311004.tif 000002
【特許請求の範囲】
【請求項１】
第一及び第二ユニットと、前記第一ユニットに対して前記第二ユニットを第一回動軸を中心に展開自在に連結する共に、前記第一回動軸に対して直交する第二回動軸を中心に前記第二ユニットを回動自在に連結するヒンジユニットと、前記第一及び第二のユニット間の電気的接続をなすフレキシブルプリント板（以下、単にＦＰＣと称す）とを含む電子機器におけるＦＰＣ実装構造であって、
前記ヒンジユニットの第一回動軸には、前記第二回動軸のための取付機構部と、前記第二ユニットの展開位置の規制をなす展開規制部とが設けられており、
前記ＦＰＣの一部を、前記第一回転軸の、前記取付機構部及び前記展開規制部以外の部分において、巻回してなることを特徴とするＦＰＣ実装構造。
【請求項２】
前記第二回動軸に、前記ＦＰＣの一部を巻回してなることを特徴とする請求項１記載のＦＰＣ実装構造。
【請求項３】
前記取付機構部に、前記ＦＰＣをＦＰＣ保持部材を介して取り付けたことを特徴とする請求項１または２記載のＦＰＣ実装構造。
【請求項４】
前記ＦＰＣ保持部材は前記取付機構部への取り付けのための弾性変形可能な爪部を有していることを特徴とする請求項３記載のＦＰＣ実装構造。
【請求項５】
請求項１〜４いずれか記載のＦＰＣ実装構造を含むことを特徴とする折り畳み式電子機器。
【発明の詳細な説明】
【技術分野】
【０００１】
本発明はＦＰＣ（フレキシブルプリント板：Flexible Printed Circuit）実装構造及びそれを用いた電子機器に関し、特に２軸構造のヒンジユニットを有する折り畳み式携帯電話機などの電子機器におけるヒンジユニット内にＦＰＣを実装する場合の構造に関するものである。
【背景技術】
【０００２】
携帯端末である携帯電話機においては、表示部を有する上側ユニットと、操作部を有する下側ユニットとを、ヒンジユニットアッセンブリを用いて連結して、下側ユニットに対して上側ユニットを展開自在に構成した折り畳み式携帯電話機が広く普及している。さらに、上側ユニットを下側ユニットに対して所定角度（例えば、９０度）だけ展開した状態で、更に上側ユニットを展開軸に直交する回動軸を中心に回動自在とした、いわゆる２軸ヒンジユニット構造も周知となっている。
【０００３】
かかる２軸ヒンジユニット構造の携帯電話機において、上側ユニットと下側ユニットとの両プリント基板間を電気的に接続するためのＦＰＣケーブル（以下、単にＦＰＣと称す）が必要となる。このＦＰＣは、上述した２軸ヒンジユニットアッセンブリを介して上下ユニットのプリント基板に接続されるのであるが、この場合、この２軸ヒンジユニットアッセンブリ内にＦＰＣを収納する際に、ＦＰＣの自由度を損なうことなく、できるだけ収納スペースが大とならないようにすることが必要となる。
【０００４】
ここで、特許文献１を参照すると、２軸ヒンジユニットアッセンブリ内でのＦＰＣの連結構造が開示されている。この構造によれば、第一及び第二ヒンジ軸（互いに直交する回動軸）の各々にＦＰＣを巻回したものである。
【特許文献１】特開２００３−１５２３５７号公報
【発明の開示】
【発明が解決しようとする課題】
【０００５】
上記の特許文献１の構造においては、２軸ヒンジユニットアッセンブリの２軸に共にＦＰＣを巻回するのであるが、上側ユニットを下側ユニットに対して展開するための展開軸には、それと直交する回動軸を取り付けるための構造の他に、第二ユニットの展開時の展開角度（展開位置）を規制するための展開規制構造が取り付けられており、当該展開軸の径が大きくなることは避けられない。上記特許文献１では、このような展開軸の大きさについては、特に言及されておらず、よって、大きな径を有する展開軸に、ＦＰＣを巻回することになり、余裕をもった巻回ができず、ＦＰＣの自由度が損なわれるという問題がある。
【０００６】
本発明の目的は、２軸ヒンジユニットアセッブリ内にＦＰＣを収容する場合に、ＦＰＣの自由度を損なうことなく、余裕をもって収容することが可能なＦＰＣ実装構造及びそれを用いた電子機器を提供することである。
【課題を解決するための手段】
【０００７】
本発明によるＦＰＣ実装構造は、第一及び第二ユニットと、前記第一ユニットに対して前記第二ユニットを第一回動軸を中心に展開自在に連結する共に、前記第一回動軸に対して直交する第二回動軸を中心に前記第二ユニットを回動自在に連結するヒンジユニットと、前記第一及び第二のユニット間の電気的接続をなすフレキシブルプリント板（以下、単にＦＰＣと称す）とを含む電子機器におけるであって、前記ヒンジユニットの第一回動軸には、前記第二回動軸の取付機構部と、前記第二ユニットの展開位置の規制をなす展開規制部とが設けられており、前記ＦＰＣの一部を、前記第一回転軸の、前記取付機構部及び前記展開規制部以外の部分に巻回してなることを特徴とする。
【０００８】
更に、前記第二回動軸に、前記ＦＰＣの一部を巻回してなることを特徴とし、また、前記取付機構部に、前記ＦＰＣをＦＰＣ保持部材を介して取り付けたことを特徴とする。そして、前記ＦＰＣ保持部材は前記取付機構部への取り付けのための弾性変形可能な爪部を有していることを特徴とする。
【０００９】
本発明による電子機器は、上記のＦＰＣ実装構造を含むことを特徴とする折り畳み式電子機器であることを特徴とする。
【００１０】
本発明の作用を述べる。２軸ヒンジユニットアッセンブリにＦＰＣを収納するに際して、２軸の各々にＦＰＣの一部を巻回して収納する場合、展開軸（第一回動軸）には、その中央部に展開軸と直交する第二回転軸の取付機構部と、第二ユニットの展開角度（展開位置）を規制する展開規制機構とが設けられているので、これら各機構部を避けて、展開軸の径が小なる部分に、ＦＰＣの一部を巻回する。これにより、ＦＰＣを余裕をもって巻回することが可能となり、ＦＰＣの自由度が向上することになる。
【発明の効果】
【００１１】
本発明によれば、２軸ヒンジユニットアッセンブリの第一回動軸である展開軸にＦＰＣを巻回する場合に、径が小なる部分に巻回をなすようにしたので、ＦＰＣを余裕をもって巻回することが可能となり、ＦＰＣの自由度が向上するという効果がある。
【発明を実施するための最良の形態】
【００１２】
以下に、図面を参照しつつ詳細に説明する。図１は本発明の実施の形態に用いるＦＰＣの平面図である。本ＦＰＣ２は、基本的に、上側ユニットのプリント基板に接続される上側ユニット接続部２４と、下側ユニットのプリント基板に接続される下側ユニット接続部２５と、上側ユニット接続部２４から図の水平方向に伸長した水平方向伸長部２１と、下側ユニット接続部２５から図の垂直方向に伸長した垂直方向伸長部２２と、これら両伸長部を連結するための屈曲部２３とからなっている。これら各部２１〜２５は平面形状である。
【００１３】
図２は上述したＦＰＣ２を保持して、２軸ヒンジユニットアッセンブリ１０（図４，５参照）に固定するためのＦＰＣホルダ５の構造を示している。図２（Ａ）は表面斜視図、（Ｂ）および（Ｃ）は裏面斜視図、（Ｄ）は正面図、両側面図、裏面図を含む６面図である。図に示す如く、ＦＰＣホルダ５は、その裏面部分において、ＦＰＣ載置面と、このＦＰＣ載置面に平行な面内に設けられた３ヶ所のＦＰＣ挟止用爪部５１〜５３を有しており、図３にＦＰＣ２とＦＰＣホルダ５との取付関係を示すように、ＦＰＣ２の屈曲部２３における３ヶ所部分で、ＦＰＣホルダ５の３つの爪部５１〜５３とホルダ本体であるＦＰＣ載置面との間に挟持されて固定されることになる。
【００１４】
すなわち、ＦＰＣホルダ５の爪部５１〜５３とＦＰＣ載置面との間の隙間に、ＦＰＣ２の屈曲部２３の３ヶ所の側縁部が挿入されることにより、ＦＰＣホルダ５のＦＰＣ載置面上に、当該ＦＰＣ２の屈曲部２３が位置決めされ載置されると共に、３ヶ所のＦＰＣ挟止用爪部５１〜５３により、固定されるのである。
【００１５】
ＦＰＣホルダ５の裏面には、更に、このホルダを２軸ヒンジユニットアッセンブリ１０（図４、５参照）に取付けるためのホルダ固定用爪部５４、５５が設けられている。この一対の爪部５４、５５は、２軸ヒンジユニットアッセンブリ１０の中央部１２に嵌合するようになっている（いわゆるスナップ止め）。
【００１６】
なお、このＦＰＣホルダ５は弾性変形自在なプラスチック材などにより構成されているために、２軸ヒンジユニットアッセンブリ１０へこのＦＰＣホルダ５を取付ける際には、ホルダ固定用爪部５４、５５が変形し、固定位置に達したときに、当該爪部５４、５５により、第一回動軸１１の中央部１２を挟み込むことで、簡単に、ＦＰＣホルダ５の中央部１２への取付けが、いわゆるワンタッチ操作（スナップ止め）で行えることになる。
【００１７】
ここで、２軸ヒンジユニットアッセンブリ１０は、図４、５に示すように、図示せぬ下側ユニットに対して、図示せぬ上側ユニットを展開するための展開軸として機能する第一回動軸１１と、この上側ユニットを所定角度（一般には、９０度）だけ展開した状態で、更にこの上側ユニットを、第一回動軸１１とは直交する方向に回動するための第二回動軸１４とが設けられている。第一回動軸１１の中央部には、この第二回動軸１４を取り付けるための取付機構部１２が設けられている。また、上側ユニットが第一回動軸１１を中心に回動して展開するときの展開角（展開位置）を規制するための展開規制機構部１３が第一回動軸１１に設けられている。
【００１８】
ここで、再び図３を参照すると、図３に示した如く、ＦＰＣホルダ５をＦＰＣ２の屈曲部２３に取付けた状態で、図４、５に示した如く、ＦＰＣ２及びＦＰＣホルダ５を、２軸ヒンジユニットアッセンブリ１０へ取付けるのであるが、ＦＰＣ２の水平伸長部２１及び垂直伸長部２２を、以下に説明するように処理した後、ＦＰＣホルダ５を、第一回動軸１１の中央部である第二回動軸取付機構部１２へ取付けることになる。
【００１９】
図４を参照すると、（Ａ）は、２軸ヒンジユニットアッセンブリ１０に、ＦＰＣ２をＦＰＣホルダ５を介して取付けたときの正面図であり、（Ｂ）はその背面図であり、図５は、ＦＰＣ２が取付けられた２軸ヒンジユニットアッセンブリ１０と上側ユニットプリント基板３との取付関係を示す斜視図である。
【００２０】
図３に示した状態、すなわち、ＦＰＣ２の屈曲部２３にＦＰＣホルダ５を取付けた状態で、ＦＰＣ２の水平伸長部２１を、ヒンジユニットアッセンブリ１０の中央部１２から垂直に突出した第二回動軸１４に数回、余裕をもって巻きつける。その後、ＦＰＣホルダ５を、第二回動軸取付機構部１２に、上述したように、ワンタッチ操作のスナップ止めで取付ける。
【００２１】
そして、ＦＰＣ２の垂直伸長部２２を、ヒンジユニットアッセンブリ１０の第一回動軸１１に数回、余裕をもって巻きつける。このとき、第一回動軸１１の径が小なる部分（第二回動軸取付機構部１２や展開規制機構部１３以外の部分）に巻き付けるのである。
【００２２】
その後、ＦＰＣ２の上側ユニット接続部２４を、図５の上側ユニットのプリント基板３へ接続し、また下側ユニット接続部２５を、図示せぬ下側ユニットのプリント基板へ接続する。
【００２３】
なお、図５において、回動軸１４の先端に取付けられている部材１８は、ヒンジユニットアッセンブリ１０とプリント基板３とを、機械的に連結するためのヒンジブラケットであって、弾性材であるプラスチックからなる取付フレーム４を用いて、プリント基板３と２軸ヒンジユニットアッセンブリ１０とを連結するものである。
【００２４】
すなわち、プリント基板３とヒンジブラケット１８とを位置合わせして重ねた状態で、取付フレーム４を用いてヒンジブラケット１８を挟み込み、取付フレーム４の４本の爪部４１ａ、４１ｂ、４２ａ、４ｂを、プリント基板３の対応部分３１ａ、３１ｂ、３２ａ、３２ｂへ嵌め込む（スナップ止めする）ことにより、プリント基板３と２軸ヒンジユニットアッセンブリ１０との機械的な連結が可能となる。
【００２５】
なお、図６は、２軸ヒンジユニットアッセンブリ１０を用いた場合の携帯電話機の外観斜視図を示すもので、（Ａ）は、上側ユニット２００の背面２０２が上面となる通常の閉状態を示し、（Ｂ）は、表示面２０１を有する上側ユニット２００を第一の回動軸１１を中心に回動させて、操作面１０１を有する下側ユニット１００に対して展開して約９０度開いた状態を示している。（Ｃ）は、（Ｂ）の状態から、上側ユニット２００を第二の回動軸１４を中心に回動させて、（Ｂ）の状態に対して、上側ユニット２００を、丁度１８０度向きを変えた状態を示し、（Ｄ）は、（Ｃ）の状態から、上側ユニット２００を、第一の回動軸１１を中心に回動させて、上側ユニット２００の表示面２０１が上にくるようにした状態を示しいる。この（Ｄ）の状態においても通話が可能な様に、上側ユニット２００の表示面２０１側にもレシーバ６が取り付けられている。
【００２６】
上記実施の形態では、携帯電話機について説明しているが、これに限らず、一般に、２軸ヒンジユニットアッセンブリを有する構造の、例えば、デジタルカメラやビデオカメラなどの電子機器に適用可能であることは明白である。
【図面の簡単な説明】
【００２７】
【図１】本発明の実施の形態に用いるＦＰＣの平面図である。
【図２】本発明の実施の形態におけるＦＰＣホルダの構造を示しており、（Ａ）は表面斜視図、（Ｂ）および（Ｃ）は裏面斜視図、（Ｄ）は正面図、両側面図、裏面図を含む６面図である。
【図３】ＦＰＣ２とＦＰＣホルダ５との取付関係を示す図である。
【図４】（Ａ）は、２軸ヒンジユニットアッセンブリ１０に、ＦＰＣ２をＦＰＣホルダ５を介して取付けたときの正面図であり、（Ｂ）はその背面図である。
【図５】ＦＰＣ２が取付けられた２軸ヒンジユニットアッセンブリ１０と上側ユニットプリント基板３との取付関係を示す分解斜視図である。
【図６】本発明が適用される折り畳み式携帯電話機の外観斜視図である。
【符号の説明】
【００２８】
１  ヒンジユニット
２  ＦＰＣ
３  上側ユニットプリント基板
４  フレーム
５  ＦＰＣホルダ
６  レシーバ
１０  ２軸ヒンジユニットアッセンブリ
１１  第一回動軸
１２  第二回動軸取付機構部
１３  展開規制部
１４  第二回動軸
１８  ヒンジブラケット
２１  水平伸長部
２２  垂直伸長部
２３  屈曲部
２４  上側ユニットプリント基板接続部
２５  下側ユニットプリント基板接続部
５１〜５３  ＦＰＣ挟止用爪部
５４，５５  ホルダ固定用爪部
１００  下側ユニット
１０１  操作面
２００  上側ユニット
２０１  表示面
２０２  背面
【図１】
2005311004.tif 000003
【図２】
2005311004.tif 000004
【図３】
2005311004.tif 000005
【図４】
2005311004.tif 000006
【図５】
2005311004.tif 000007
【図６】
2005311004.tif 000008